(57)【要約】【課題】ブログ、ＳＮＳ等におけるホームページの更新は、煩雑で且つ時間が掛かるため、利用するユーザが限られてしまうと云う問題点がある。【解決手段】ユーザのホームページ用ファイルを格納するサーバを備え、ユーザのプレゼンス履歴を示すプレゼンス情報をユーザの携帯端末から自己のホームページ用ファイルに、自動的に追加することができるように構成し、これによって、ホームページを自動的に更新できるホームページ更新システムが得られる。【選択図】    図１
2008242734.tif 000002
【特許請求の範囲】
【請求項１】
ユーザのプレゼンス履歴を監視するプレゼンスサーバを備え、当該プレゼンス履歴を自動的に追加して、当該ユーザのホームページを自動的に更新することを特徴とするホームページ自動更新方法。
【請求項２】
請求項１において、更に、前記ユーザのホームページ用ファイルを格納するＷＥＢサーバと、当該ユーザの携帯端末とを備え、前記プレゼンスサーバは、前記携帯端末からのプレゼンス情報を監視し、前記プレゼンスサーバは、当該プレゼンス情報の変化を前記ホームページ用ファイルに、前記プレゼンス履歴として追加することによって前記ユーザのホームページを自動的に更新することを特徴とするホームページ自動更新方法。
【請求項３】
請求項２において、前記プレゼンスサーバは前記ユーザの指定にしたがって、前記プレゼンス情報を選択する選択機能を備えていることを特徴とするホームページ自動更新方法。
【請求項４】
請求項３において、前記選択機能は、予め定められた時間内のプレゼンス情報だけを選択的に取得する時間指定によるフィルタ機能であることを特徴とするホームページ自動更新方法。
【請求項５】
請求項３又は４において、前記選択機能は前記プレゼンス情報が所定時間内に変化した場合にのみ取得するフィルタ機能であることを特徴とするホームページ自動更新方法。
【請求項６】
請求項３〜５のいずれかにおいて、前記選択機能は前記プレゼンス情報に所定のキーワードが含まれるか否かを判定する判定機能を有していることを特徴とするホームページ自動更新方法。
【請求項７】
請求項６において、前記判定機能は、前記所定のキーワードが含まれている場合に、当該プレゼンス情報を取得する機能であることを特徴とするホームページ自動更新方法。
【請求項８】
請求項６において、前記判定機能は、前記所定のキーワードが含まれている場合に、当該プレゼンス情報を取得しない機能であることを特徴とするホームページ自動更新方法。
【請求項９】
請求項６において、前記判定機能は、前記所定のキーワードが含まれていない場合に、当該プレゼンス情報を取得しない機能であることを特徴とするホームページ自動更新方法。
【請求項１０】
請求項６において、前記判定機能は、前記所定のキーワードが含まれていない場合に、当該プレゼンス情報を取得する機能であることを特徴とするホームページ自動更新方法。
【請求項１１】
請求項６において、前記判定機能は、前記所定のキーワードが含まれている場合に、当該キーワードを含むプレゼンス情報を他の情報に置換して表示する機能であることを特徴とするホームページ自動更新方法。
【請求項１２】
請求項６において、前記判定機能は、前記所定のキーワードが含まれていない場合に、当該キーワードを含まないプレゼンス情報を他の情報に置換して表示する機能であることを特徴とするホームページ自動更新方法。
【請求項１３】
請求項１〜１２のいずれかにおいて、前記ユーザのホームページに表示された前記プレゼンス情報に関連した広告情報を表示することを特徴とするホームページ自動更新方法。
【請求項１４】
ユーザのホームページを格納するＷＥＢサーバと、当該ユーザの携帯端末と、前記携帯端末からの前記ユーザのプレゼンス履歴を監視するプレゼンスサーバを備え、前記プレゼンスサーバは、当該ユーザのプレゼンス履歴を前記ＷＥＢサーバに通知して、前記ＷＥＢサーバにおける前記ユーザのホームページを自動的に更新することを特徴とするホームページ自動更新システム。
【請求項１５】
請求項１４において、前記プレゼンスサーバは前記ユーザユーザの指定にしたがって、前記プレゼンス情報を選択する選択手段を備えていることを特徴とするホームページ自動更新システム。
【請求項１６】
請求項１４において、前記選択手段は、前記プレゼンス情報の時間及び前記プレゼンス情報に関連したキーワードの少なくとも一方を参照して、表示の有無を決定する決定手段を有していることを特徴とするホームページ自動更新システム。
【請求項１７】
請求項１４〜１６のいずれかにおいて、前記ＷＥＢサーバは、前記ユーザのホームページに表示された前記プレゼンス情報に関連した広告情報を表示する手段を備えていることを特徴とするホームページ自動更新システム。
【請求項１８】
ユーザからのプレゼンス情報を受信して、前記プレゼンス情報の変化をプレゼンス履歴として監視することを特徴とするプレゼンスサーバ。
【発明の詳細な説明】
【技術分野】
【０００１】
本発明は、ユーザのホームページを自動的に更新するホームページ更新方法及びシステムに関する。
【背景技術】
【０００２】
最近、ＳＮＳ、ブログ等のサイトでは、ユーザ本人のホームページを用いて、ユーザの日記、趣味等が公開されている。ホームページが公開されると、他のユーザの注目を引くために、各ユーザはホームページのコンテンツを更新する必要がある。しかしながら、ホームページの更新には手間がかかり、ユーザの負担となることが多い。更新する時間がない、更新が面倒であるといった理由により、ホームページのコンテンツの更新をほとんどしないユーザも多数存在する。このように更新を怠ったユーザのホームページは他のユーザによって次第に閲覧されなくなる。そのため、SNSやブログのサイト全体として、ホームページの更新が可能な人だけを中心としたコンテンツになってしまう。
【０００３】
このため、或る特定のユーザの近況を知りたいと思っても、日記等が更新されていなければ何もわからない。また、家族など、近況は共有したいが日記等の内容を見せるのは抵抗がある相手が存在する。これらの理由により、SNSやブログなどＷＥＢ上でのコミュニケーションサービスを利用するユーザは、比較的若い世代に限られ、中高年に利用されにくいものと考えられる。
【０００４】
一方、特許文献１には、ホームページを常に最新状態に維持することができるホームページの更新管理システムが開示されている。特許文献１では、ホームページにおけるコンテンツの増大と、リンクされるコンテンツの格納場所の分散化に対応するために、データサーバに格納されるコンテンツの更新状況をＷＥＢサーバに通知すると共に、ＷＥＢサーバでは、通知されるコンテンツの更新状況に応じてホームページのデータを更新する更新管理システムが示されている。
【０００５】
また、特許文献２には、更新データを順次検索する巡回検索手段と、抽出された更新データに基づき、更新ＨＴＭＬデータを生成するバナー生成手段とを設け、バナー生成手段で生成された更新ＨＴＭＬデータをユーザ端末に送信するホームページ自動更新システムが開示されている。
【０００６】
特許文献３には、サーバ内に取り込まれた各種のホームページをデータベース化し、全面公開、限定公開、非公開の３種類に分類して、登録内容のプライバシー保護を行なうシステムが記載されている。
【０００７】
特許文献４は、ユーザの毎日の行動の正確な内容を記述した日記を作成できるようにユーザを支援する日記作成支援装置を開示している。ここでは、ユーザが携帯する携帯端末から得た位置情報を格納しておき、ユーザから日記作成の指示を受けた時点で、解析部が当日分の位置情報を解析しユーザの行動を解析している。解析の結果、ユーザの行動が予め登録された所定の行動パターンに一致する場合は、このパターンに対応付けて登録されていた定型文をワードプロセッサに送り、当該定型文を表示させた形でワードプロセッサを起動している。また、該当する行動パターンが無い場合、日付のみのテンプレートを生成している。
【０００８】
【特許文献１】特開２００２−４１３９１号公報
【特許文献２】特開２００４−１１８７２９号公報
【特許文献３】特開２００１−３５０７８４号公報
【特許文献４】特開２００２−２１５６１１号公報
【発明の開示】
【発明が解決しようとする課題】
【０００９】
特許文献１は、データサーバのリンクテーブルが変更されたことを通知するイベントをｌｏｏｋｕｐサービスからＷＥＢサーバに通知することを開示しているが、ここでは、各ユーザの個別の行動によって、ホームページを更新することについては何等指摘していない。
【００１０】
特許文献２は、更新前のＨＴＭＬ文書と更新後のＨＴＭＬ文書を比較し、両者に一致しないデータ項目がある場合、そのデータ項目が更新されたデータであると判定し、抽出すると共に、抽出された更新データに基づきバナー広告を生成している。しかしながら、特許文献２は、各ユーザの行動に基づいて、データを更新することについて何等指摘していない。
【００１１】
特許文献３は、登録名、パスワード等の入力を要求することによって、ホームページの閲覧方法を公開、限定公開、非公開の３種類に区分している。しかしながら、特許文献３は、登録名、パスワード等の入力以外の手段により、ホームページの閲覧方法を区分することについては何等指摘していない。
【００１２】
特許文献４は、公開しないことを前提とした日記の作成を支援する日記作成支援装置を開示しているだけである。このため、当該日記作成支援装置で作成されたデータはパーソナルコンピュータに備えられたワードプロセッサに表示されている。即ち、特許文献４は、日記作成支援装置を含むパーソナルコンピュータに、ＵＳＢ（Ｕｎｉｖｅｒｓａｌ  Ｓｅｒｉａｌ  Ｂｕｓ）を介して携帯端末を接続した構成を開示し、携帯端末からは定期的にユーザの位置を示す位置情報が、位置情報取得部に送信され、位置情報に基づいて、定型文或いは日時のテンプレートがワードプロセッサに表示されている。
【００１３】
しかしながら、特許文献４では、公開しないことを前提とした日記を作成することを目的としているため、ユーザの行動に関する公開、非公開のレベルについて全く示唆されていない。更に、特許文献４では、ユーザの行動を定型文或いはテンプレートであらわされているが、定型文或いはテンプレートであらわすことができないユーザの行動を支援することについては考慮されていないし、ユーザの行動の履歴を表示することについても考慮されていない。
【００１４】
特許文献１〜４は、ユーザの個人情報であるユーザの位置情報を含むプレゼンス情報を、公開を前提とするネットワークに送信すること、及び、ユーザの行動履歴をＷＥＢ上に表示することについて何等企図されていない。
【００１５】
本発明の課題は、ブログ、ＳＮＳ等、公開を前提とするユーザのホームページを自動的に更新するホームページ自動更新方法及びシステムを提供することである。
【００１６】
本発明の他の課題は、ユーザのホームページを当該ユーザの行動及び行動の履歴をあらわすプレゼンス情報を用いて更新するホームページ更新方法及びシステムを提供することである。
【００１７】
本発明の更に別の課題は、登録名、パスワード以外により公開すべきデータを区分するホームページ更新方法及びシステムを提供することである。
【課題を解決するための手段】
【００１８】
本発明の第１の態様によれば、ユーザのプレゼンス履歴を監視するプレゼンスサーバを備え、当該プレゼンス履歴を自動的に追加して、当該ユーザのホームページを自動的に更新することを特徴とするホームページ更新方法が得られる。
【００１９】
本発明の第２の態様によれば、第１の態様において、請求項１において、更に、前記ユーザのホームページ用ファイルを格納するＷＥＢサーバと、当該ユーザの携帯端末とを備え、前記プレゼンスサーバは、前記携帯端末からのプレゼンス情報を監視し、前記プレゼンスサーバは、当該プレゼンス情報の変化を前記ホームページ用ファイルに、前記プレゼンス履歴として追加することによって前記ユーザのホームページを自動的に更新することを特徴とするホームページ自動更新方法が得られる。
【００２０】
本発明の第３の態様によれば、第２の態様において、前記プレゼンスサーバは前記ユーザの指定にしたがって、前記プレゼンス情報を選択的に表示する選択機能を備えていることを特徴とするホームページ自動更新方法が得られる。
【００２１】
本発明の第４の態様によれば、第３の態様において、前記選択機能は、予め定められた時間内のプレゼンス情報だけを選択的に取得する時間指定によるフィルタ機能であることを特徴とするホームページ自動更新方法が得られる。
【００２２】
本発明の第５の態様によれば、第３又は４の態様において、前記選択機能は前記プレゼンス情報が所定時間内に変化した場合にのみ取得するフィルタ機能であることを特徴とするホームページ自動更新方法が得られる。
【００２３】
本発明の第６の態様によれば、第３〜５の態様のいずれかにおいて、前記選択機能は前記プレゼンス情報に所定のキーワードが含まれるか否かを判定する判定機能を有していることを特徴とするホームページ自動更新方法が得られる。
【００２４】
本発明の第７の態様によれば、第６の態様において、前記判定機能は、前記所定のキーワードが含まれている場合に、当該プレゼンス情報を取得する機能であることを特徴とするホームページ自動更新方法が得られる。
【００２５】
本発明の第８の態様によれば、第６の態様において、前記判定機能は、前記所定のキーワードが含まれている場合に、当該プレゼンス情報を取得しない機能であることを特徴とするホームページ自動更新方法が得られる。
【００２６】
本発明の第９の態様によれば、第６の態様において、前記判定機能は、前記所定のキーワードが含まれていない場合に、当該プレゼンス情報を取得しない機能であることを特徴とするホームページ自動更新方法が得られる。
【００２７】
本発明の第１０の態様によれば、第６の態様において、前記判定機能は、前記所定のキーワードが含まれていない場合に、当該プレゼンス情報を取得する機能であることを特徴とするホームページ自動更新方法が得られる。
【００２８】
本発明の第１１の態様によれば、第６の態様において、前記判定機能は、前記所定のキーワードが含まれている場合に、当該キーワードを含むプレゼンス情報を他の情報に置換して表示する機能であることを特徴とするホームページ自動更新方法が得られる。
【００２９】
本発明の第１２の態様によれば、第６の態様において、前記判定機能は、前記所定のキーワードが含まれていない場合に、当該キーワードを含まないプレゼンス情報を他の情報に置換して表示する機能であることを特徴とするホームページ自動更新方法が得られる。
【００３０】
本発明の第１３の態様によれば、第１〜１２の態様いずれかにおいて、前記ユーザのホームページに表示された前記プレゼンス情報に関連した広告情報を表示することを特徴とするホームページ自動更新方法が得られる。
【００３１】
本発明の第１４の態様によれば、ユーザのホームページを格納するＷＥＢサーバと、当該ユーザの携帯端末と、前記携帯端末からの前記ユーザのプレゼンス履歴を監視するプレゼンスサーバを備え、前記プレゼンスサーバは、当該ユーザのプレゼンス履歴を前記ＷＥＢサーバに通知して、前記ＷＥＢサーバにおける前記ユーザのホームページを自動的に更新することを特徴とするホームページ自動更新システムが得られる。
【００３２】
本発明の第１５の態様によれば、第１４の態様において、前記プレゼンスサーバは前記ユーザユーザの指定にしたがって、前記プレゼンス情報を選択する選択手段を備えていることを特徴とするホームページ自動更新システムが得られる。
【００３３】
本発明の第１６の態様によれば、第１４の態様において、前記選択手段は、前記プレゼンス情報の時間及び前記プレゼンス情報に関連したキーワードの少なくとも一方を参照して、表示の有無を決定する決定手段を有していることを特徴とするホームページ自動更新システムが得られる。
【００３４】
本発明の第１７の態様によれば、第１４〜１６の態様のいずれかにおいて、前記ＷＥＢサーバは、前記ユーザのホームページに表示された前記プレゼンス情報に関連した広告情報を表示する手段を備えていることを特徴とするホームページ自動更新システムが得られる。
【００３５】
本発明の第１８の態様によれば、ユーザからのプレゼンス情報を受信して、前記プレゼンス情報の変化をプレゼンス履歴として監視することを特徴とするプレゼンスサーバが得られる。
【発明の効果】
【００３６】
本発明では、ユーザのホームページが自動で更新されるため、日記等を更新する時間の無い人でも継続的に更新が可能となり、サイトの永続的な繁栄につながる。また、ユーザの必要最小限の情報を自動的に更新することができるため、近況を共有することができ、離れた家族間での安否確認といった用途も考えられ、日記・趣味等のホームページを作成・閲覧しない層も参加できる。
【発明を実施するための最良の形態】
【００３７】
図１を参照して、本発明の一実施形態に係るホームページ更新システムを説明する。図示されたホームページ更新システムは、プレゼンスサーバ２０、ＷＥＢサイトのサーバ（即ち、ＷＥＢサーバ）２２、及び、複数のユーザ端末Ａ、Ｂ、Ｃ、Ｄによって構成されている。図示されているように、ユーザ端末Ａ、Ｂ、Ｃは携帯電話、ＰＤＡ、ノート型パソコン等の携帯端末であり、ユーザ端末Ｄは、デスクトップ型パーソナルコンピュータであるものとする。また、プレゼンスサーバ２０とＷＥＢサーバ２２とはインターネット等のネットワークを介して接続されており、ユーザ端末Ａ、Ｂ、Ｃはプレゼンスサーバ２０と無線回線を介して接続されている。また、ユーザ端末Ｄはネットワーク或いは無線回線を介してプレゼンスサーバ２０及びＷＥＢサーバ２２に接続されている。尚、プレゼンスが一意に定まるのであれば、同じユーザが複数の端末を利用しても問題ない。
【００３８】
一方、プレゼンスサーバ２０は、ユーザ端末Ａ、Ｂ、Ｃ、Ｄにおいて設定されるプレゼンス情報を取得し、そのプレゼンス情報を送信する。ここで、プレゼンス情報は、ユーザ端末Ａ、Ｂ、Ｃ、Ｄの位置情報及び移動の履歴をあらわす履歴情報をも含んでおり、その場その場の連絡のために利用される情報である。この例では、プレゼンス情報のおおまかな情報は自動で設定され、詳細な情報はユーザが手動で設定するものとする。したがって、プレゼンス情報には、ユーザが食事中であれば、「食事中」、業務中であれば、「業務中」、移動中であれば、「移動中」等、ユーザ自身が直接入力する情報をも含んでいる。
【００３９】
尚、ユーザ端末の位置情報や、ユーザの端末操作等からプレゼンス情報を自動的に取得するような構成を採用している。例えば、ユーザ端末の電源がｏｎ／ｏｆｆで自動的にプレゼンスサーバ２０にアクセスするように構成しても良い。この場合、ユーザ端末Ａ、Ｂ、ＣはＧＰＳ（Ｇｒｏｂａｌ  Ｐｏｓｉｔｉｏｎｉｎｇ  Ｓｙｓｔｅｍ）の機能を備えている必要がある。
【００４０】
他方、ＷＥＢサーバ２２は、各ユーザが設定したデータとプレゼンスサーバ２０からの情報を元に各ユーザのホームページを生成し、そのホームページの集合体であるＷＥＢサイト２２１を提供する。更に、図示されたＷＥＢサーバ22は、プレゼンスサーバ２０から通知されるプレゼンス情報を蓄積するプレゼンスデータベース（ＤＢ）２２３、ユーザ同士の公開レベルの設定、公開レベルに応じたフィルタ設定情報、ユーザのページの設定情報など、設定した情報を蓄積するユーザデータベース（ＤＢ）２２５、プロフィール・日記・趣味など、プレゼンス以外のページの内容情報を蓄積するコンテンツデータベース（ＤＢ）２２７を備えている。
【００４１】
ＷＥＢサーバ２２に設けられたＷＥＢサイト２２１には、プレゼンスＤＢ２２３とコンテンツＤＢ２２７の情報を、ユーザＤＢ２２５の設定情報を元に閲覧できる形式にしたデータの集合体が格納されたホームページ用ファイルが、ユーザ毎に、ホームページ（ここでは、Ａ〜Ｄのホームページ）を表示するために備えられている。実際には、これらホームページ用ファイルは、後述するような形式でホームページ用ファイルにプレゼンスサーバ２０からのプレゼンス情報を追加することができるように構成されている。
【００４２】
以下、図１に示されたホームページ更新システムの動作を概略的に説明する。各ユーザＡ〜Ｄがプレゼンスを変更した場合、図１の矢印１〜４で示したステップにより、ユーザＡ〜Ｄはプレゼンスサーバ２０に新しいプレゼンスを通知する。
【００４３】
プレゼンスサーバ２０では、当該プレゼンスサーバ２０の持つ情報が更新された時、更新されたプレゼンスの情報「どのユーザのどういったプレゼンスか」をＷＥＢサーバ２２に通知する（ステップ５）。通知されたプレゼンス情報はＷＥＢサーバ２２内のプレゼンスＤＢ２２３に蓄積される。 通知されたプレゼンス情報によってプレゼンスＤＢ２２３が更新されると、更新された分のプレゼンス情報がＷＥＢで表示できる形式に変換され、ＷＥＢサイト２２１のデータに追加される（ステップ６）。
【００４４】
続いて、ユーザがＷＥＢサイト２２１を介して設定した、ユーザ固有の設定情報・他のユーザに対する公開レベル・公開レベルに応じたフィルタなどの情報がユーザＤＢ２２５に保存される（ステップ７）。
【００４５】
次に、ユーザＤＢ２２５に保存された情報をＷＥＢで表示できる形式に変換し、ＷＥＢサイト２２１に設けられたホームページ用ファイルのデータに追記する（ステップ８）。
【００４６】
更に、ユーザがＷＥＢサイト２２１を介して記入した、プロフィール・日記・趣味・コメント等、プレゼンス以外のページの内容情報をコンテンツＤＢ２２７に保存する（ステップ９）。このため、ＷＥＢサイト２２１には、プレゼンス情報をコンテンツと識別する識別機能が備えられている。
【００４７】
ステップ９でコンテンツＤＢ２２７に保存された情報を、ＷＥＢで表示できる形式に変換し、ＷＥＢサイト２２１のホームページ用ファイルのデータに追記する（ステップ１０）。
【００４８】
以下、ユーザ端末Ａ〜Ｄは、ステップ１１〜１４において、それぞれ、本発明において生成されたＷＥＢサイトの閲覧・コメントの記入を行う。尚、ユーザ本人のページに関しては各種設定・コンテンツの記入・ページの編集を行う。
【００４９】
図２に示されたフローチャートをも参照して、図１のホームページ更新システムの動作をより具体的に説明する。図２では、ユーザ本人、他のユーザ、プレゼンスサーバ２０、及び、ＷＥＢサーバ２２の動作が示されている。図示されたシステムの動作は、新規ユーザ登録動作［１］、ユーザの詳細設定動作［２］、他のユーザに対する公開レベルの設定動作［３]、コンテンツ更新動作［４］、プレゼンス履歴更新動作［５］、ホームページの閲覧動作[6]、及び、ホームページへのコメントの記入動作［７］によって構成されている。ここでは、システムの動作の一例を示し、新規ユーザ登録動作［１］が最初に一度行われた後は他の動作［２］〜［７］が順番・頻度に特に制限なく繰り返される。
【００５０】
まず、新規ユーザ登録動作［１］は、ユーザ本人が本発明に係るＷＥＢサイト２２１にアクセスし、ユーザ固有の必須情報（ユーザ名・パスワード・プレゼンスの認証用の情報・メールアドレスなど）を設定する［１−１]。ＷＥＢサイト２２１にユーザ固有の必須情報を設定すると、その内容は、ユーザＤＢ２２５に新規ユーザとして登録される［１−２]。ユーザ登録が行なわれると、ＷＥＢサーバ２２では、ユーザ本人の必要最低限の情報を元にユーザのホームページが作成される［１−３］。これによって、新規ユーザ登録動作は終了し、ユーザの詳細設定動作［２］に移行する。
【００５１】
ユーザ詳細設定動作［２］では、まず、 ホームページ上の本人用編集ページを介して、公開レベルに対するプレゼンスのフィルタの設定、ホームページの表示に関する設定等を編集する［２−１］。編集された内容はユーザＤＢ２２５に送られ、ユーザＤＢ２２５が更新される［２−２]。更新された内容がユーザ本人のホームページに反映され［２−３]、ユーザ詳細設定動作［２］は終了する。
【００５２】
続いて、他のユーザに対する公開レベルの設定動作が行なわれる［３］。公開レベル設定動作では、まず、ＷＥＢサイト２２１において、他のユーザを検索し、知人ユーザに対するコンテンツの公開レベルがユーザ本人によって設定される。この場合、知人以外のユーザに対して、その他のユーザとしてまとめて公開レベルが設定される［３−１］。ユーザＤＢ２２５は設定された公開レベルに応じて更新される［３−２]。更新され内容がホームページに反映され［３−３］、公開レベルの設定動作は終了する。
【００５３】
この状態で、ユーザ本人は、必要に応じてコンテンツ更新動作[4]を行なう。コンテンツ更新動作［４］は、ホームページ上の本人用編集ページを介して、プロフィールや日記や趣味など、プレゼンス以外のコンテンツを更新する［４−１］。更新されたコンテンツによって、コンテンツＤＢ２２７が更新され、更新内容がホームページに反映される［４−３］。
【００５４】
本発明に係るホームページ更新システムでは、プレゼンス履歴更新動作［５］が行なわれることを特徴としている。プレゼンス履歴更新動作［５］では、まず、ユーザ本人のプレゼンスの変化がプレゼンスサーバ２０に通知される［５−１］。プレゼンスの変化は、プレゼンスサーバ２０からプレゼンスＤＢ２２５に通知され、プレゼンスＤ２２３の内容が更新される［５−２］。続いて、更新されたプレゼンス内容にしたがって、ホームページが自動で更新される［５−３］。
【００５５】
更に、ホームページの閲覧動作［６］及びホームページへのコメントの記入動作［７］がユーザ本人或いは本人以外のユーザによって行なわれる。
【００５６】
即ち、ホームページの閲覧動作［６］は、ユーザ本人が自分のホームページを閲覧する動作［６−１］と、他のユーザがホームページを閲覧する動作［６−２］とを含んでいる。
【００５７】
一方、ホームページへのコメントの記入動作［７］において、本人以外のユーザがホームページを閲覧し、コメントの記入を行う［７−１］と、コンテンツＤＢ２２７が更新される［７−２］。続いて、ホームページが更新される［７−３］。
【００５８】
他方、本人が自分のホームページを閲覧し、コメントの記入を行う［７−４]と、コンテンツＤＢ２２７が更新され［７−５］、続いて、ホームページが更新される［７−６］。
【００５９】
図３を参照すると、本発明に係るホームページ更新システムを実施した場合におけるＷＥＢページイメージの一例が示されている。図３では、図１に示されたユーザＡ〜Ｄの内、ユーザＡ本人のホームページが示されているものとする。図３に示されたホームページは、本人画像等を表示する領域（ａ）、カレンダーを表示する領域（ｂ）、本人Ａの行動の履歴を示すプレゼンス履歴をプレゼンス情報として表示する領域（ｃ）、広告を表示する領域（ｄ）、及び、コメントを記入する領域（ｅ）に区分されている。また、図示された例では、本人画像を表示する領域（ａ）には、本人Ａの現在の状況をも示されている。
【００６０】
領域（ｃ）には、１２月２０日の本人Ａのプレゼンス履歴が表示されており、これにより本人Aの１日の様子がわかる。また、領域（ｂ）に表示されたカレンダーなどから日程を選択することで、本人Ａの過去のプレゼンス履歴を見ることができる。更に、領域（ｄ）には、本人Ａのプレゼンス履歴に応じた広告が表示される。この広告として、プレゼンス履歴に含まれる場所、時間等に応じた広告を表示することも可能である。即ち、ユーザ本人Ａの滞在時間の長い場所、通過地点、或いは、滞在時間に応じた広告を表示することができる。
【００６１】
更に、領域（ｅ）に示すように、コメント記入領域を設けることにより、ユーザ同士が連絡を取り合うことも可能である。
【００６２】
ここで、図３の領域（ｃ）に表示されたプレゼンス履歴は、ユーザ本人Ａによって公開レベルを設定することができる。即ち、他のユーザに対して公開できるプレゼンス情報をユーザ本人Ａが設定できる。このため、ユーザ毎に異なる公開レベル、また公開レベルに応じたフィルタを設定し、異なる画面を表示させることができる。
【００６３】
図３では、ユーザ本人Ａのプレゼンス履歴が全て表示されている。即ち、ユーザ本人Ａの８時３０分から１７時までの行動が場所及び具体的な行動内容と共に表示されている。しかしながら、ユーザ本人Ａにとって、全ての行動が公開されるのは好ましくない場合もある。
【００６４】
そこで、本発明では、他のユーザに対して公開できるプレゼンス履歴を公開レベル１〜３に区分して、他のユーザ毎に設定できるようにしている。この例では、公開レベル１、２.及び３が設定されている。まず、公開レベル１は、図３に示したように、プレゼンス履歴をそのまま表示するものであり、図３では、ユーザＢに対して公開レベル１が設定されているものとする。したがって、ユーザＢは、ユーザＡのホームページにアクセスした場合、図３に示されたようなイメージを見ることができる。
【００６５】
尚、図３に示されたプレゼンス履歴のうち、時間及び場所については、ユーザＡの携帯端末の機能、プレゼンスサーバ２０の機能及びＷＥＢサーバ２２の機能を用いて、自動的に取得し、表示することができるが、業務、会議、食事、電車移動中、買い物等の具体的な行動に関するプレゼンス履歴は、ユーザＡ自身が入力するものとする。
【００６６】
図４を参照すると、公開レベル２が設定されたユーザ（ここでは、ユーザＣ）がユーザＡのホームページを見た場合のイメージが示されており、プレゼンス履歴を表示する領域（ｃ）とコメントを記入する領域（ｅ）の内容が図３と異なっていることが判る。この例では、公開レベル２はユーザＣに対して設定されており、この関係で、ユーザＡはそのホームページを介してユーザＣと連絡を取り合うことができる。
【００６７】
図４を図３と比較しても明らかな通り、公開レベル２では、『「業務」または「会議」を含むプレゼンスは「仕事」に置き換える』というキーワードによるフィルタが掛けられている。このため、図４では、業務及び会議を含むプレゼンス履歴は全て仕事に置き換えられているが、ユーザＡの位置を示す場所については、何等制限されていない。
【００６８】
図５を参照すると、公開レベル３が設定されたユーザ（ここでは、ユーザＤ）がユーザＡのホームページを見た場合のイメージが示されている。公開レベル３では、プレゼンス情報のうち、『「＠」以降は表示しない』というキーワードによるフィルタ、及び、『「８：３０」〜「１７：００」までしか表示しない』という時間指定によるフィルタが掛けられていることが判る。したがって、公開レベル３が設定されているユーザＤは、ユーザＡの１７：００以降の行動を知ることはできない。
【００６９】
図３〜図５からも明らかなように、コメント記入領域（ｅ）には、公開レベルが同じユーザのコメントのみが表示される。
【００７０】
このように、図３〜図５に示された実施形態では、ある日のプレゼンス履歴を見て、他のユーザがコメントを記入することにより本人（A）や他のＡのページを閲覧するユーザとコミュニケーションをとることができる。この場合、本人以外のユーザは公開レベルが同じユーザのコメントのみ表示されることになる。更に、ページ内の情報を利用し、より関係のある広告を掲載することが可能となる。
【００７１】
以上説明した例では、時間、及び、キーワードで制限すること、即ち、フィルタすることによって公開レベルを決定している。ここでは、フィルタの具体例について説明しておく。
【００７２】
１、時間指定によるフィルタ 
・ 「XX : XX」〜「YY : YY」の間のプレゼンスは表示しない
・ 「XX : XX」〜「YY : YY」の間のプレゼンスのみ表示する
・ 「XX分」以内に変化した、その状態であった時間が短かったプレゼンスは表示しない
２、キーワードによるフィルタ
・ 「XXX」を含むプレゼンスは表示しない
・ 「XXX」を含まないプレゼンスは表示しない
・ 「XXX」を含むプレゼンスのみ表示する
・ 「XXX」を含まないプレゼンスのみ表示する
・ 「XXX」を含むプレゼンスは「YYY」に置き換える
・ 「XXX」を含まないプレゼンスは「YYY」に置き換える
・ 「XXX」以降は表示しない
・ 「XXX」より前のみ表示する
【００７３】
以上説明したことからも明らかな通り、図示されたプレゼンスサーバ２０は、上記した公開レベルを決定するフィルタにより、プレゼンス情報を選択、判定する機能を備えると共に、プレゼンス履歴を更新する機能をも備えている。
【００７４】
次に、上記した実施形態に係るホームページ更新システムにおける効果を説明しておく。まず、第１の効果は、ユーザ同士のコミュニケーションを活発にできることで、より広告収入が得られることにある。これは、コンテンツが自動で更新されることによりユーザの手間をかけずに常に更新されるＷＥＢサイトを構築できるためである。
【００７５】
第２の効果は、これまでホームページ・ブログ・SNSを利用していなかったユーザ層の利用を増加できることにある。これは、近況の共有という、従来の気の合うユーザ同士の交流といった趣味のための利用とは異なり、安心や便利さのための利用を推奨できるためである。
【００７６】
［他の実施形態］
他の実施形態としては、他のユーザのプレゼンス履歴を本人のプレゼンス履歴と並べて表示することが考えられる。この実施形態によれば、ユーザ間のコミュニケーションを更に促進することができる。また、複数のユーザでグループを構成し、グループ内のユーザのプレゼンス履歴を並べて表示することで、グループとしてコミュニケーションを促進することも可能である。
【００７７】
ＷＥＢ上での各々が自由な時間にアクセスすることによるコミュニケーションだけではなく、電話・チャットといったリアルタイムのコミュニケーションツールをホームページ上から利用可能にすることで、コミュニケーションを促進できる。
【００７８】
更に、広告を閲覧ユーザ、訪問ユーザの現在のプレゼンス情報と、現在時刻を元に変化させることで、閲覧ユーザがその場で欲しい情報を提供しやすくなり、より広告効果が期待できる。家族など、特別な関係者に対してある一定間隔でプレゼンス履歴をメールで配信する、近況の配信サービスへの応用も考えられる。
【００７９】
また、図１に示した実施形態では、ＷＥＢサーバ２２とプレゼンスサーバ２０とを個別に設ける場合について説明したが、両サーバは単一のサーバ内に構成されても良い。
【産業上の利用可能性】
【００８０】
本発明によれば、ＷＥＢサイト上でのコミュニケーションといった用途に適用できる。また、離れ離れの人同士の安否確認・近況の共有といった用途にも適用可能である。
【図面の簡単な説明】
【００８１】
【図１】本発明の一実施形態に係るホームページ更新システムを説明するブロック図である。
【図２】図１に示されたホームページ更新システムの動作を説明するフローチャートである。
【図３】公開レベル１を設定されたユーザに表示される特定ユーザのホームページのイメージを説明する図である。
【図４】公開レベル２を設定されたユーザに表示される特定ユーザのホームページのイメージを説明する図である。
【図５】公開レベル３を設定されたユーザに表示される特定ユーザのホームページのイメージを説明する図である。
【符号の説明】
【００８２】
２０            プレゼンスサーバ
２２            ＷＥＢサーバ
２２１          ＷＥＢサイト
２２３          プレゼンスＤＢ
２２５          ユーザＤＢ
２２７          コンテンツＤＢ
【図１】
2008242734.tif 000003
【図２】
2008242734.tif 000004
【図３】
2008242734.tif 000005
【図４】
2008242734.tif 000006
【図５】
2008242734.tif 000007